(57)【要約】【課題】耕耘爪回転部の上周面を覆うロータリ上カバーの左右両側部に形成のサイドカバーの内側面に泥土が付着すると、畝立土壌の移動抵抗が大きくなって、畝立性能を低下し、サイドカバーが重くなって開き回動操作し難い状態となる。そこで、このサイドカバーの内側に内張シートを設けて、耕耘土壌が付着し難い形態として、畝立作用を円滑に行わせ、サイドカバーの開閉作動、操作を行い易くするものである。【解決手段】ゴム材、乃至合成樹脂材の如きシート材によって、前記サイドカバー５の内側面に沿って覆う内張部６と、この前後部からロータリ上カバー３側へ拡張形成して連結する連結ひだ部７とを形成して、一枚状で略扇形状形態に形成の内張シート８を設けたことを特徴とする耕耘機のロータリカバーの構成とする。【選択図】図１
2014180215.tif 000002
【特許請求の範囲】
【請求項１】
ロータリ軸（１）周りに回転の耕耘ロータリ（２）の上周部を覆うロータリ上カバー（３）と、このロータリ上カバー（３）の左右両側部を開閉ヒンジ（４）周りに上下回動して前記耕耘ロータリ（２）の側部を開閉可能のサイドカバー（５）とを有した耕耘機のロータリカバーにおいて、ゴム材、乃至合成樹脂材の如きシート材によって、前記サイドカバー（５）の内側面に沿って覆う内張部（６）と、この前後部からロータリ上カバー（３）側へ拡張形成して連結する連結ひだ部（７）とを形成して、一枚状で略扇形状形態に形成の内張シート（８）を設けたことを特徴とする耕耘機のロータリカバー。
【請求項２】
前記サイドカバー（５）を開閉ヒンジ（４）周りに回動可能に取付けるロータリ上カバー（３）は、ロータリフレーム（９）に対して、前後方向（Ａ）へ移動可能に、又は上下方向（Ｂ）へ回動可能に設けて可動形態に構成することを特徴とする請求項１に記載の耕耘機のロータリカバー。
【請求項３】
前記内張シート（８）は、サイドカバー（５）の内側面に、支持具（１０）を介して取付け、内張シート（８）とサイドカバー（５）との対向面間に、適宜間隔のシート間隔部（１１）を形成することを特徴とする請求項１，又は２に記載の耕耘機のロータリカバー。
【請求項４】
前記サイドカバー（５）面と内張シート（８）面との間のシート間隔部（１１）を、このサイドカバー（５）の開閉ヒンジ（４）部側では小さく形成し、開閉端側では大きくして傾斜（ａ）する傾斜面形態に形成したことを特徴とする請求項１，２、又は３いずれかに記載の耕耘機のロータリカバー。
【請求項５】
前記サイドカバー（５）の外周縁部には、内側へ略直交状に適宜高さの折り曲る形態のカバーエッジ（１２）を形成し、前記内張シート（８）を、前記カバーエッジ（１２）を越えて外周側へ張出すように敷設することを特徴とする請求項１、２、３又は４いずれかに記載の耕耘機のロータリカバー。
【発明の詳細な説明】
【技術分野】
【０００１】
サイドカバーの内側面を、ゴムシート材、乃至合成樹脂シート材等の弾性シートで被覆する耕耘機のロータリカバーに関する。
【背景技術】
【０００２】
ロータリ上カバーの内周面を合成樹脂材シートで密着被覆したり、このロータリ上カバーと、側部のサイドカバーとの間に亘って、ゴム板状、扇状のシートで連結する技術（例えば、特許文献１、２参照）が知られている。
【先行技術文献】
【特許文献】
【０００３】
【特許文献１】実開昭６１−５４３０６号公報
【特許文献２】特開２００８−１６１０６１号公報
【発明の概要】
【発明が解決しようとする課題】
【０００４】
耕耘爪回転部の上周面を覆うロータリ上カバーの左右両側部に形成のサイドカバーは、ロータリ上カバーに対して上下に回動して、耕耘爪回転の左右外側面を開閉し、畝立作業や、中耕除草作業等を行わせることができる形態とするが、このサイドカバーの内側面に泥土が付着すると、畝立土壌の移動抵抗が大きくなって、畝立性能を低下し、サイドカバーが重くなって開き回動操作し難い状態となる。そこで、このサイドカバーの内側に内張シートを設けて、耕耘土壌が付着し難い形態として、畝立作用を円滑に行わせ、サイドカバーの開閉作動、操作を行い易くするものである。
【課題を解決するための手段】
【０００５】
ロータリ軸１周りに回転の耕耘ロータリ２の上周部を覆うロータリ上カバー３と、このロータリ上カバー３の左右両側部を開閉ヒンジ４周りに上下回動して前記耕耘ロータリ２の側部を開閉可能のサイドカバー５とを有した耕耘機のロータリカバーにおいて、ゴム材、乃至合成樹脂材の如きシート材によって、前記サイドカバー５の内側面に沿って覆う内張部６と、この前後部からロータリ上カバー３側へ拡張形成して連結する連結ひだ部７とを形成して、一枚状で略扇形状形態に形成の内張シート８を設けたことを特徴とする耕耘機のロータリカバーの構成とする。
【０００６】
耕耘ロータリ２の回転によって耕耘された土壌がロータリ上カバー３やサイドカバー５の内側面に沿って摺動し、乃至衝突して、側方乃至後側へ案内されて耕耘土壌面を形成する。又、前記サイドカバー５を開閉ヒンジ４の周りに外側上方への開動させて、畝法面部の中耕除草作業を行ったり、更にはこの後部に畝立培土器を装着して畝立作業を行うときには、このサイドカバー５を外側上部への開回動によって、内張シート８の連結ひだ部７を開拡させて、ロータリ上カバー３とサイドカバー５との端縁間のカバー間隔部Ｋを覆って、このカバー間隔部Ｋからの耕耘土壌の外方飛散を防止する。このようにサイドカバー５をロータリ上カバー３の外側端に閉鎖させたり、外側上方へ開放させた形態にあってもこのサイドカバー５の内側面、乃至下側面に形成の内張シート８面によって、耕耘土壌や、培土土壌等を案内して、きれいな培土畝立作用を行わせる。このようにサイドカバー５の内側面に形成される内張シート８は、前後両端部の連結ひだ部７に亘って一枚板状形態に滑面に形成されるため、耕耘土壌の飛散、衝突を受けても、滑り易く、抵抗を小さくして、付着を少なくすることができる。又、前記一枚板形態の内張シート８は、前後端部に連結ひだ部７を有して扇状形態に広く形成するものであるから、構成を簡単にすることができ、この前後両端縁１５，１６部をロータリ上カバー３部に取付けることによって、連結ひだ部７の取付を簡単容易に行うことができる。このサイドカバー５の内張部６を連結ひだ部７と一体形成の一枚板シート形態として形成するため、取付接合部をなくして、接合隙間や、間隔部等を生じないため、耕耘土壌等の隙間侵入の生じ難い形態として、内張シート８の弾性乃至撓み作用によって耕耘土壌等の付着を防止して、耕耘土壌や、中耕除草等の案内を円滑の行わせる。
【０００７】
又、前記サイドカバー５を開閉ヒンジ４周りに回動可能に取付けるロータリ上カバー３は、ロータリフレーム９に対して、前後方向Ａへ移動可能に、又は上下方向Ｂへ回動可能に設けて可動形態に構成する。
【０００８】
前記ロータリ上カバー３をロータリフレーム９に対して前後方向Ａへ移動可能にして、又は上下方向Ｃへ回動可能にして、耕耘深さを調節する作業形態に適合させたり、畝立培土器等の装着関係位置を好適位置に設定する場合には、これらロータリ上カバー３の移動、開閉回動に伴って、サイドカバー５をも移動、回動することにより、このサイドカバー５による耕耘土壌等の側部飛散を受けて、下方の耕耘土壌面位置へ落下案内させる。
【０００９】
又、前記内張シート８は、サイドカバー５の内側面に、支持具１０を介して取付け、内張シート８とサイドカバー５との対向面間に、適宜間隔のシート間隔部１１を形成する。
【００１０】
前記サイドカバー５は、ロータリ上カバー３の外側端部に取付けられて、このロータリ上カバー３と一体的に、又はこのロータリ上カバー３の外側端部の開閉ヒンジ４の周りに開閉回動されるが、このサイドカバー５の内側面に沿って適宜間隔のシート間隔部１１を形成して、支持具１０によって内張シート８が張設されているため、前記耕耘ロータリ２によって耕耘された土壌は、この内張シート８面に受けられて衝撃吸収され、摺動案内されて、外側方へ培土させる。この内張シート８の内張部６は、サイドカバー５面との間に適宜間隔のシート間隔部１１を形成するため、前記耕耘土壌の飛散を受けるときの揺動作用が行われ易く、飛散土壌の衝撃吸収を容易にして、この内張部６の振動、揺動によって、内張シート８面に対する耕耘土壌等の付着を防止することができる。又、前記サイドカバー５の開閉ヒンジ４周りの開閉回動によって、前後両端部の連結ひだ部７が拡縮される。又、この連結ひだ部７に耕耘土壌が衝突されると、この連結ひだ部７が揺動されるが、これら連結ひだ部７の拡縮、揺動等の変形によって、支持具１０により支持されて、サイドカバー５の内側面との間に適宜間隔のシート間隔部１１を形成して内張されている内張部６をも拡縮伝播して、拡縮変形され易くして耘土壌等の付着を防止する。
【００１１】
又、前記サイドカバー５面と内張シート８面との間のシート間隔部１１を、このサイドカバー５の開閉ヒンジ４部側では小さく形成し、開閉端側では大きくするように傾斜ａする傾斜面形態に形成する。
【００１２】
前記サイドカバー５の内側面に沿って内張する内張シート８は、シート間隔部１１を、開閉ヒンジ４部側では、小さく形成し、外側部では大きくした傾斜ａの傾斜面形態に形成することによって、サイドカバー５裏面と内張シート８との間に土壌が侵入しない。
【００１３】
更に、前記サイドカバー５の外周縁部には、内側へ略直交状に、適宜高さに折り曲げる形態のカバーエッジ１２を形成し、前記内張シート８を、前記カバーエッジ１２を越えて外周側へ張出すように敷設する。
【００１４】
前記サイドカバー５は、内側面に沿って内張シート８を張設して、耕耘ロータリ２による耕耘土壌の飛散を受けて衝突反射させて拡散落下させる。このサイドカバー５の外周縁部に形成のカバーエッジ１２によって内張シート８の内張部６が支持されて、サイドカバー５の内側面との間に適宜間隔のシート間隔部１１が形成されていて、内張部６の揺動歪みを円滑に行わせる。又、このサイドカバー５は、ロータリ上カバー３に対して開閉ヒンジ４の周りに上下回動することができるが、このサイドカバー５の外周縁部に形成のカバーエッジ１２の形成によってサイドカバー５自体の剛性を高くして、安定した耕耘土壌の衝突、反射等の案内を行う。
【発明の効果】
【００１５】
請求項１に記載の発明は、前記内張シート８によって耕耘ロータリ２の回転による耕耘土壌の飛散衝撃を緩和し、ロータリ上カバー３とサイドカバー５との間に形成されるカバー間隔部の閉鎖性を高めることができる。この内張シート８の前後端部の連結ひだ部７は、内張部６と一枚板状の扇形状シート、乃至マット形態であるから、内張シート８としての形態を簡単な構成とすることができ、サイドカバー５からロータリ上カバー３に亘って取付ける取付形態を簡単、容易にして、安定させることができ、サイドカバー５の開閉回動を円滑に行わせることができる。又、一枚板状の内張シート８面によって継目や継目間隔等の粗雑面や隙間等の形成をなくし、耕耘土壌等の摩擦抵抗を小さくして、土壌付着を少くすることができる。
【００１６】
前記サイドカバー５の内側面に沿って張設の内張シート８は、前後端部に一枚板状に形成の連結ひだ部７を形成して、連結ひだ部７をロータリ上カバー３に取付連結するものであるから、このサイドカバー５を開閉回動することによって、連結ひだ部７がひだ状形態に歪み変形して、この連結ひだ部７内面に付着する土壌があっても剥離分離され易くすると共に、内張部６をも伝播変形させて、この内張部６面に付着する土壌等の剥離効果をも促進することができる。
【００１７】
請求項２に記載の発明は、前記ロータリフレーム９に対するロータリ上カバー３の移動、開閉回動調節に伴って、サイドカバー５をも一体的に移動、回動することができると共に、内張シート８をも一体的に移動して、サイドカバー５の開閉回動によるカバー間隔部をこの内張シート８の連結ひだ部７で閉鎖することができる。
【００１８】
請求項３に記載の発明は、前記サイドカバー５と、この内側部に支持具１０を介して内張りする内張シート８との間に、適宜間隔のシート間隔部１１を形成することによって、この内張シート８の土壌衝突による振動、揺動歪みを容易にして、耕耘飛散の土壌の衝撃力の吸収を良好にして、耕耘土壌の付着を少くすることができ、清浄、メンテナンスを行い易くすることができる。
【００１９】
請求項４に記載の発明は、耕耘ロータリ２によって耕耘される土壌が、サイドカバー５に衝突されるとき、開閉ヒンジ４近傍のサイドカバー５裏面と内張シート８とが接近乃至密着しているので、開閉ヒンジ４側からの土壌侵入がなく、前記内張部６の傾斜ａ面によって、この内張部６の裏面にはシート間隔部１１が形成されて、振動歪みを吸収し易く構成するため、衝撃吸収を良好にし、耕耘土壌の付着を少くすることができる。
【００２０】
請求項５に記載の発明は、ロータリ上カバー３の外側部に開閉回動可能に取付けるサイドカバー５は、外周縁部に沿ってカバーエッジ１２を形成し、このカバーエッジ１２によって内張シート８の内面を支持させるものであるから、サイドカバー５は軽薄にしても剛性を高めて、耕耘土壌の衝突反射を良好に、安定した状態に行わせることができ、又、この内張シート８の内面を支持して、シート間隔部１１を正確に維持して、この内張シート８部の振動、歪み等を円滑に行わせて、耕耘土壌の拡散反射効果を高く維持し、構成簡単で耕耘土壌の付着し難いサイドカバー５とすることができる。
【図面の簡単な説明】
【００２１】
【図１】耕耘機の側面図。
【図２】その平面図。
【図３】ロータリカバー部の平面図（Ａ）と、一部断背面図（Ｂ）。
【図４】耕耘ロータリ部の側面図。
【図５】サイドカバー部下方側からの下面図。
【図６】ロータリカバー部の開回動状態を示す背面図。
【図７】その作用状態を示す背面図。
【図８】その内張シート部の張付断面形態を示す一部断背面図。
【図９】内張シート部の形態例を示す平面図（Ａ）、（Ｂ）。
【発明を実施するための形態】
【００２２】
図面に基づいて、耕耘機は、前部にエンジン２０を搭載したミッションケース２１の下部に、伝動ケース２２を介して左右一対の車輪２３を軸２４に軸装し、ミッションケース２１の後上部には後方へ突出のハンドル２５を設け、このハンドル２５の後端のグリップ部２６を把持操作して走行することができる。前記ミッションケース２１の後端下部には、耕耘伝動ケース２７を設けて、左右両側方に突出のロータリ軸１を軸装し、このロータリ軸１周りに耕耘爪Ｔを配置して、耕耘ロータリ２を構成し、この耕耘ロータリ２の上側部を覆うロータリ上カバー３や、この左右両側部を覆うサイドカバー５等が構成される。耕耘伝動ケース２７の後側上部にはリヤフレーム９が設けられて、後端部には抵抗棒２９の上端部が上下移動調節可能に取付けられる。
【００２３】
前記エンジン２０の駆動により軸を伝動回転し、このミッションケース２１内の伝動ギヤ機構から伝動ケース２２のチェン機構を介して車輪２３、軸２４を伝動回転して走行できる。又、前記ミッションケース２１内の伝動ギヤ機構から耕耘伝動ケース２７内のチェン機構を介して耕耘ロータリ２を伝動回転して、走行圃場の土壌面を適宜深さ及び幅に耕耘することができる。前記ハンドル２５部には、エンジン２０からミッションケース２１の入力軸部へ伝動する主クラッチを入り切り操作する主クラッチレバー３１や、車速を高速と低速とに切換可能の変速レバー３２、及びスロットルレバー３３や、スタンド３９を回動操作可能のスタンドレバー７０等を設け、ミッションケース２１上部のハンドル２５基部位置には変速レバー３４や、耕耘ロータリ２用の変速レバー３５等を配置している。エンジン２０下側のエンジンベース３６の前端部には、スプリング３７によってスタンド軸３８周りに起伏回動可能のスタンド３９を設けている。
【００２４】
前記耕耘ロータリ２の回転上周部を覆うロータリカバーは、耕耘伝動ケース２７の前後部を覆うロータリ上カバー３と、このロータリ上カバー３の左右両側部の位置に設けるサイドカバー５とからなり、サイドカバー５は、前記ロータリ上カバー３の外側端部に位置して、上下回動して開閉可能に構成する。
【００２５】
前記ロータリ上カバー３の内側部（リヤフレーム９側）には前後方向の取付板４２を形成し、この取付板４２をロータリヤフレーム９の左右両側面に接合させて、円弧状長穴４９に通すボルト５０締め等によってロータリカバーを前後方向へ移動調節可能に取付ける。この取付板４２の外側にロータリ上カバー３をカバーヒンジ５２を介して、上下方向に回動可能に枢支し、これら取付板４２上方に設けたブラケット４３と、ロータリ上カバー３の上面に設けたリンクステー７２とを連結すると拡縮リンクアーム４４の交差部を、締付ハンドル４５で締付けることによって、ロータリ上カバー３を前記カバーヒンジ５２の周りに上下回動させて、適宜の側方開放角度位置に設定することができる。又、前記ロータリ上カバ−３は、取付板４２側の内カバー３Ａと、外側の外カバー３Ｂとからなり、上下に重合して、ロータリ上カバー３Ｂを内カバー３Ａに対して前記ロータリ軸１方向に沿って左右移動させて、ロータリ上カバー３の幅を調節することができる。内カバー３Ａに横方向の長穴４６を形成し、外カバー３Ａから内カバー３Ａ上に突設するボルト４７にナット４８を螺合して、外カバー３Ｂ取付位置を固定することができる。このようにロータリ上カバー３は、ボルト５０締め操作によって前後方向Ａへ移動調節可能とし、耕耘ロータリ２に対するカバー位置を耕耘深さに適応するように調整し、ナット４８によって外カバー３Ｂを内外方向へ移動調節して、耕耘幅に適応させるカバー幅とすることができる。しかも、耕耘ロータリ２の作業形態に応じて、ロータリ上カバー３を前記カバーヒンジ５２周りに上下に切替回動Ｃして、作業することができる。又、前記ロータリ上カバー３の後側端部には、ゴム板の如きリヤカバー５３、５４が設けられ、内カバー３Ａの後端に内リヤカバー５３を取付け、外カバー３Ｂの後端に外リヤカバー５４を取付ている。これらリヤカバー５３、５４は、耕耘ロータリ２の後側面を覆って、耕耘土壌の後方飛散を受けて、土壌畝面に案内し、土壌面を均平する。
【００２６】
前記サイドカバー５は、ロータリ上カバー３の左右外側端面を覆うように構成され、耕耘土壌等の横方向への飛散を受けて案内するもので、サイドカバー５の上端部を、前記ロータリ上カバー３の外カバー３Ｂ部の外側端に、開閉ヒンジ４周りに上下回動Ｂして、ロータリ上カバー３外側面を閉鎖状態Ｄと、開放状態Ｅとに切替回動することができる。このサイドカバー５は、外周縁部に沿って、内側へ向けて適宜高さに折曲成形のカバーエッジ１２を形成し、このカバーエッジ１２の内端縁に亘ってゴムマット状の如き弾性質シート材からなる内張シート８を設け、この内張シート８は支持具１０を介在させて設ける。
【００２７】
前記支持具１０による内張シート８の取付支持形態は、サイドカバー５の外周縁部のカバーエッジ１２の内側部に沿って、ステーボルト５６を配置して取付け、各ステーボルト５６にはサイドカバー５の内側面との間の適宜間隔に、内張シート８面を支持する支持ナット５８を設け、この支持ナット５８の部に内張シート８の支持穴５９を嵌合させて支持し、更にロックナット６０を螺合して、これら支持ナット５８とロックナット６０との間に内張シート８の支持部を挟持して固定する。又、内張シート８の開閉ヒンジ４側は、内張シート８の支持穴をボルト５７に嵌合し、ロックナット６１を螺合して挟持固定してある。このようにして内張シート８を支持具１０を介して取付けることにより、サイドカバー５の内側面と内張シート８との間に適宜間隔のシート間隔部１１を形成し、図８に示すように、前記内張シート８の開閉ヒンジ４側を、サイドカバー５の内側面に接近乃至密着させて、傾斜ａ面形態に張設する。
【００２８】
この内張シート８は、前記サイドカバー５の内側面に対向する内張部６と、この内張部６の前端側と後端側とに拡張形成される方形状形態乃至デルタ状形態の連結ひだ部７とから、一枚板状の形態として扇状形態に形成される。そして、この扇状形態の中央部に開閉ヒンジ４を位置させる凹縁部１９を形成し、この凹縁部の両側部に形成する前取付縁１５と、後取付縁１６とは、１８０度乃至これ以上に大きく開拡した形態に形成されて、前後方向に一直線状形態（図９−Ａ）、又は逆八字状形態に（図９-Ｂ）に形成する。そして、この前取付縁１５を前記外カバーの外側端の、前半部縁に取付具１７で取付連結し、後取付縁１６を外カバー３Ｂの後半部縁に取付具１７で取付連結して、これら前後の連結ひだ部７で、ロータリ上カバー３の外側端とサイドカバー５との間の、カバー間隔部Ｋを覆う。
【００２９】
ここにおいて、前記ロータリカバ−は、ロータリ軸１周りに回転の耕耘ロータリ２の上周部を覆うロータリ上カバー３と、このロータリ上カバー３の左右両側部を開閉ヒンジ４周りに上下回動して前記耕耘ロータリ２の側部を開閉可能のサイドカバー５とを有した耕耘機のロータリカバ−において、ゴム材、乃至合成樹脂材の如きシート材によって、前記サイドカバー５の内側面に沿って覆う内張部６と、この前後部からロータリ上カバー３側へ拡張形成して連結する連結ひだ部７とを形成して、一枚状で略扇形状形態に形成の内張シート８を設ける構成とする。
【００３０】
耕耘ロータリ２の回転によって耕耘された土壌がロータリ上カバー３やサイドカバー５の内側面に沿って摺動し、乃至衝突して、側方乃至後側へ案内されて耕耘土壌面を形成する。又、前記サイドカバー５を開閉ヒンジ４の周りに外側上方へ開動させて、畝法面部の中耕除草作業を行ったり、更にはこの後部に畝立培土器を装着して畝立作業を行うときには、このサイドカバー５を外側上部への開回動によって、内張シート８の連結ひだ部７を開拡させて、ロータリ上カバー３とサイドカバー５との端縁間のカバー間隔部Ｋを覆って、このカバー間隔部Ｋからの耕耘土壌の外方飛散を防止する。このようにサイドカバー５をロータリ上カバー３の外側端に閉鎖させたり、外側上方へ開放させた形態にあってもこのサイドカバー５の内側面、乃至下側面に形成の内張シート８面によって、耕耘土壌や、培土土壌等を案内して、きれいな培土畝立作用を行わせる。このようにサイドカバー５の内側面に形成される内張シート８は、前後両端部の連結ひだ部７に亘って一枚板状形態に滑面に形成されるため、耕耘土壌の飛散、衝突を受けても、滑り易く、抵抗を小さくして、付着を少なくすることができる。又、前記一枚板形態の内張シート８は、前後端部に連結ひだ部７を有して扇状形態に広く形成するものであるから、構成を簡単にすることができ、この前後両端縁１５，１６部をロータリ上カバー３部に取付けることによって、連結ひだ部７の取付を簡単容易に行うことができる。このサイドカバー５の内張部６を連結ひだ部７と一体形成の一枚板シート形態として形成するため、取付接合部をなくして、接合隙間や、間隔部等を生じないため、耕耘土壌等の隙間侵入の生じ難い形態として、内張シート８の弾性乃至撓み作用によって耕耘土壌等の付着を防止して、耕耘土壌や、中耕除草等の案内を円滑の行わせる。
【００３１】
又、前記サイドカバー５を開閉ヒンジ４周りに回動可能に取付けるロータリ上カバー３は、ロータリフレーム９に対して、前後方向Ａへ移動可能に、又は上下方向Ｂへ回動可能に設けて可動形態に構成する。
【００３２】
前記ロータリ上カバー３をロータリフレーム９に対して前後方向Ａへ移動可能にして、又は上下方向Ｃへ回動可能にして、耕耘深さを調節する作業形態に適合させたり、畝立培土器等の装着関係位置を好適位置に設定する場合には、これらロータリ上カバー３の移動、開閉回動に伴って、サイドカバー５をも移動、回動することにより、このサイドカバー５による耕耘土壌等の側部飛散を受けて、下方の耕耘土壌面位置へ落下案内させる。
【００３３】
又、前記内張シート８は、サイドカバー５の内側面に、支持具１０を介して取付け、内張シート８とサイドカバー５との対向面間に、適宜間隔のシート間隔部１１を形成する。
【００３４】
前記サイドカバー５は、ロータリ上カバー３の外側端部に取付けられて、このロータリ上カバー３と一体的に、又はこのロータリ上カバー３の外側端部の開閉ヒンジ４の周りに開閉回動されるが、このサイドカバー５の内側面に沿って適宜間隔のシート間隔部１１を形成して、支持具１０によって内張シート８が張設されているため、前記耕耘ロータリ２によって耕耘された土壌は、この内張シート８面に受けられて衝撃吸収され、摺動案内されて、外側方へ培土させる。この内張シート８の内張部６は、サイドカバー５面との間に適宜間隔のシート間隔部１１を形成するため、前記耕耘土壌の飛散を受けるときの揺動作用が行われ易く、飛散土壌の衝撃吸収を容易にして、この内張部６の振動、揺動によって、内張シート８面に対する耕耘土壌等の付着を防止することができる。又、前記サイドカバー５の開閉ヒンジ４周りの開閉回動によって、前後両端部の連結ひだ部７が拡縮される。又、この連結ひだ部７に耕耘土壌が衝突されると、この連結ひだ部７が揺動されるが、これら連結ひだ部７の拡縮、揺動等の変形によって、支持具１０により支持されて、サイドカバー５の内側面との間に適宜間隔のシート間隔部１１を形成して内張されている内張部６をも拡縮伝播して、拡縮変形され易くして耘土壌等の付着を防止する。
【００３５】
又、前記サイドカバー５面と内張シート８面との間のシート間隔部１１を、このサイドカバー５の開閉ヒンジ４部側では小さく形成し、開閉端側では大きくするように傾斜ａする傾斜面形態に形成する。
【００３６】
前記サイドカバー５の内側面に沿って内張する内張シート８は、シート間隔部１１を、開閉ヒンジ４部側では、小さく形成し、外側部では大きくした傾斜ａの傾斜面形態に形成することによって、サイドカバー５の裏面と内張シート８との間に土壌が侵入しない。
【００３７】
更に、前記サイドカバー５の外周縁部には、内側へ略直交状に、適宜高さに折り曲げる形態のカバーエッジ１２を形成し、前記内張シート８を、前記カバーエッジ１２を越えて外周側へ張出すように敷設する。
【００３８】
前記サイドカバー５は、内側面に沿って内張シート８を張設して、耕耘ロータリ２による耕耘土壌の飛散を受けて衝突反射させて拡散落下させる。このサイドカバー５の外周縁部に形成のカバーエッジ１２によって内張シート８の内張部６が支持されて、サイドカバー５の内側面との間に適宜間隔のシート間隔部１１が形成されていて、内張部６の揺動歪みを円滑に行わせる。又、このサイドカバー５は、ロータリ上カバー３に対して開閉ヒンジ４の周りに上下回動することができるが、このサイドカバー５の外周縁部に形成のカバーエッジ１２の形成によって剛性を高くして、安定した耕耘土壌の衝突、反射等の案内を行うことができる。
【符号の説明】
【００３９】
１    ロータリ軸
２    耕耘ロータリ
３    ロータリ上カバー
４    開閉ヒンジ
５    サイドカバー
６    内張部
７    連結ひだ部
８    内張シート
９    ロータリフレーム
１０    支持具
１１    シート間隔部
１２    カバーエッジ
ａ    傾斜
Ａ    前後方向
Ｂ    上下方向
【図１】
2014180215.tif 000003
【図２】
2014180215.tif 000004
【図３】
2014180215.tif 000005
【図４】
2014180215.tif 000006
【図５】
2014180215.tif 000007
【図６】
2014180215.tif 000008
【図７】
2014180215.tif 000009
【図８】
2014180215.tif 000010
【図９】
2014180215.tif 000011